(57)【要約】【課題】本発明の課題は、平面光源の特徴を活かすことで、従来の間接照明に比べて向上した、光源非視認性、広範囲照明性、明るさ変化緩徐性、及び光源設置容易性が得られる間接照明を提供することである。【解決手段】本発明の間接照明システムは、間接照明対象面と対向する平面領域を有する対向面、及び該平面領域に配置されてなる複数枚の平面光源を含み、該対向面が、該対向方向に垂直な開口辺を有し、さらに、該開口辺近傍に、該開口辺から該対向方向に高さＨで立ち上がりる遮光部を有し、該平面光源が、該開口辺に垂直な方向の長さがｙの矩形発光領域を含む平面光源であって、該平面領域から高さｈ以内で配置されてなる平面光源であって、該遮光部における該対向方向の該間接照明対象面との距離である開口間隔がＧであり、さらに、これらの値が特定の関係を満たすことを特徴とする。【選択図】図１
2019186006.tif 000002
【特許請求の範囲】
【請求項１】
間接照明対象面を間接照明する間接照明システムであって、
該間接照明対象面と対向する平面領域を有する対向面、及び該平面領域に配置されてなる複数枚の平面光源を含み、
該対向面が、該対向方向に垂直な開口辺であって、該対向方向への平面視において該間接照明対象面に含まれる開口辺を有し、さらに、該開口辺近傍に、該開口辺から該対向方向に高さＨで立ち上がり、かつ、該開口辺に平行な長さＸの遮光部を有し、
該平面光源が、該開口辺に垂直な方向の長さがｙの矩形発光領域を含む、該開口辺に平行な方向の長さがＬｘの平面光源であって、該平面領域から高さｈ以内で配置されてなる平面光源であって、
該遮光部における該対向方向の該間接照明対象面との距離である開口間隔がＧであり、さらに
下記の数式１、及び数式２の全てを満たす、間接照明システム。
【数５】
2019186006.tif 000007
【数６】
2019186006.tif 000008
【請求項２】
ｙがＧより大きい、請求項１に記載の間接照明システム。
【請求項３】
前記遮光部が、前記間接照明対象面に向かって凸な曲面を含む、請求項１、又は２に記載の間接照明システム。
【請求項４】
前記複数枚配置された前記平面光源が、前記開口辺に平行に複数枚配置され、かつ、前記開口辺平行方向長さがｘの前記矩形発光領域を含む有機ＥＬパネルであり、さらに、隣接する前記矩形発光領域間の距離Ｄが２００ｍｍ以下である、請求項１〜３のいずれかに記載の間接照明システム。
【請求項５】
前記有機ＥＬパネル、及び、該有機ＥＬパネルに対応する前記遮光部の一部を含む有機ＥＬモジュールを含む、請求項４に記載の間接照明システム。
【発明の詳細な説明】
【技術分野】
【０００１】
本発明は、間接照明システムに関し、特に、複数枚の平面光源を含む間接照明システムに関する。
【背景技術】
【０００２】
近年、白熱灯や蛍光灯に代わる光源として、有機ＥＬパネルに代表される平面光源が注目され、多くの研究がなされている。
【０００３】
このような有機ＥＬパネルに代表され、この他、ＬＥＤを面状に並たり、ＬＥＤ及び拡散板を組み合わせたりして作製されたＬＥＤパネルの如き、平面光源を光源として用いた間接照明システムについては、平面光源の特徴を十分に活かしたシステムが未開発の状況である。
【０００４】
例えば、特許文献１は、照明器具において、天井又は床面に均一な光を照射し、見た目の良い間接照明を行なう為の照明器具として、収納家具の天板の上面又は底板の下面に、ＥＬ素子を有する発光パネルが一体に設けることで、光源を隠すための遮蔽部材等を必要とせず光を出射することで、見た目の良い間接照明を行なうことを開示するが、出射光の配光を制御する方法としては、発光パネルの光出射面に、配光制御シートが配置を配置することを提案しており、パネル自体を遮蔽部材としてはいるものの、平面光源の特徴を積極的に高品質間接照明に繋げるものではない。
【０００５】
また、特許文献２は、天井面を掘り込む等の煩雑な作業を必要とせず、美観を損ねることなく、かつ壁の取り合い部にも取り付けが容易である間接照明装置として、壁面から天井面に沿って室内側に延出される延出材と、この延出材の室内側端部から垂れ下がる垂下材と、この垂下材の壁面側に発光面を前記壁面に対向して設けられる発光パネルとで構成された発光ユニットからなる、取り付けが簡単にできる間接照明装置を開示するが、壁面で効果的に反射させる為に、取付面を垂下材の下方方向にいくにしたがって壁面から遠ざかるよう傾斜面を有して形成することを提案しており、平面光源である発光パネルは、そのままでは、壁面で効果的に反射させるのに却って障害となることが示唆されており、この文献も、平面光源の特徴を積極的に高品質間接照明に繋げるものではない。
【先行技術文献】
【特許文献】
【０００６】
【特許文献１】特開２０１２−１４２２０２号公報
【特許文献２】特開２００８−０７８０６２号公報
【発明の概要】
【発明が解決しようとする課題】
【０００７】
前述の特許文献１は、収納家具の天板の上面又は底板の下面に発光パネルを一体に設けることで、光源を隠しつつ天井又は床面に均一な光を照射しているが、当該均一に光が照射されるのは、発光パネルに対向する、殆ど人の目に触れない、天井又は床面の家具に隠れた部分であり、出射光の配光制御の工夫を施したとしても、投入電力に対する間接照明の効率は低く、却って、室内を薄暗く感じさせるだけの快適性に乏しい間接照明となってしまう可能性が高く、さらなる改善が望まれる。
【０００８】
また前述の特許文献２は、垂下材の壁面側に発光面を前記壁面に対向して設けられる発光パネルを含む間接照明装置を開示し、天井面を掘り込む等の煩雑な作業を必要としないものの、延出材や垂下材そのものを天井や壁面に新たに設置する必要があり必ずしも美観を損ねることがないとは言えず、また、光源を隠すことに平面光源の特徴が十分に活かせておらず、特に、取付面を垂下材の下方方向に向かって壁面から遠ざかる傾斜面とした場合には特にそうであり、外部からパネル等が視認されてしまい外観性が劣る場合があり、さらに、投入電力に対する間接照明の効率を高めつつ快適性が向上された間接照明を、平面光源の特徴を活かして実現できているとは言いがたく、改善の余地がある。
【０００９】
本発明は、このような従来技術の課題を解決すべく為されたものであり、平面光源の特徴を活かすことで、蛍光灯やＬＥＤ等の従来光源を用いた従来の間接照明に比べて向上した、光源非視認性、広範囲照明性、明るさ変化緩徐性、及び光源設置容易性が得られる間接照明を提供することを目的とする。
【課題を解決するための手段】
【００１０】
本発明らは上記課題に鑑み鋭意検討した結果、特定の配置とした平面光源を含む間接照明システムすることにより、前述の課題が解決できることを見出し、本発明を完成するに至った。
【００１１】
即ち、本発明は、間接照明対象面を間接照明する間接照明システムであって、
該間接照明対象面と対向する平面領域を有する対向面、及び該平面領域に配置されてなる複数枚の平面光源を含み、
該対向面が、該対向方向に垂直な開口辺であって、該対向方向への平面視において該間接照明対象面に含まれる開口辺を有し、さらに、該開口辺近傍に、該開口辺から該対向方向に高さＨで立ち上がり、かつ、該開口辺に平行な長さＸの遮光部を有し、
該平面光源が、該開口辺に垂直な方向の長さがｙの矩形発光領域を含む、該開口辺に平行な方向の長さがＬｘの平面光源であって、該平面領域から高さｈ以内で配置されてなる平面光源であって、
該遮光部における該対向方向の該間接照明対象面との距離である開口間隔がＧであり、さらに
下記の数式１、及び数式２の全てを満たす、間接照明システムに関する。
【００１２】
【数１】
2019186006.tif 000003
【００１３】
【数２】
2019186006.tif 000004
【００１４】
本発明において、前記平面光源は、好ましくは、有機ＥＬパネルであり、その薄さ軽さや、面内分布が緩やかな柔らかい拡散光を発光する特徴が活かされる。
【００１５】
このような本発明の間接照明システムは、薄い平面光源を対向面に設置することにより光源非視認性が向上し、面光源による面発光に基づき広範囲照明性、明るさ変化緩徐性が向上すると共に、光源設置容易性にも優れる。
【００１６】
また、ｙはＧより大きいことが好ましく、光源非視認性がより向上すると共に、平面光源の薄さの特徴がより最大限に活かされて、本発明の効果をより効果的に奏さしめることができ、また、平面光源のメンテナンス時の脱着も容易に実施でき、さらに、より狭い空間から光を供給する間接照明システムとなるので、従来光源を用いた間接照明システムとは全く異なる印象を与える、新たな光空間を実現できる。
【００１７】
また、前記遮光部は、前記間接照明対象面に向かって凸な曲面を含むことが好ましく、より広範囲、かつ、より明るさ変化が緩やかに間接照明することができる。
【００１８】
また、前記複数枚配置された前記平面光源は、前記開口辺に平行に複数枚配置されることが好ましく、より長い距離に亘って、より安価な平面光源で間接照明可能となり、また、前記開口辺平行方向長さがｘの前記矩形発光領域を含む平面光源、より好ましくは有機ＥＬパネル、とすることが好ましく、さらに、隣接する前記矩形発光領域間の距離Ｄが２０ｍｍ以下であることが好ましく、開口辺に沿ってより均一な間接照明が可能となる。
【００１９】
また、前記平面光源、及び、該平面光源に対応する前記遮光部の一部を含む平面光源モジュールを含むことが好ましく、より好ましくは、前記前記有機ＥＬパネル、及び、該有機ＥＬパネルに対応する前記遮光部の一部を含む有機ＥＬモジュールを含むことであり、安価、かつ、簡便に設置できる間接照明システムとすることができる。
【発明の効果】
【００２０】
本発明の間接照明システムは、光源非視認性、広範囲照明性、明るさ変化緩徐性、及び光源設置容易性に優れる。
【図面の簡単な説明】
【００２１】
【図１】本発明の間接照明システムを説明する一実施形態の断面概念図である。
【図２】実施例１の間接照明システム１００を説明する断面構造（左）、及びその明るさ分布の結果（右）である。
【図３】比較例１の間接照明システムを説明する断面構造（左）、及びその明るさ分布の結果（右）である。
【図４】比較例２の間接照明システムを説明する断面構造（左）、及びその明るさ分布の結果（右）である。
【図５】比較例３の間接照明システムを説明する断面構造（左）、及びその明るさ分布の結果（右）である。
【図６】実施例２の間接照明システム１００を説明する断面構造（左）、及びその明るさ分布の結果（右）である。
【図７】実施例２の間接照明システム１００の実際のシステムの溝状の設置部における有機ＥＬパネル１の設置状況写真である。
【図８】実施例１〜３の間接照明システム１００を説明する断面構造（左）、及びそれらの明るさ分布の結果（右）であり、上段が実施例１、中段が実施例２、下段が実施例３である。
【図９】実施例４の間接照明システム１００を説明する断面構造（左）、及びその明るさ分布の結果（右）である。
【図１０】実施例５の間接照明システム１００を説明する断面構造（左）、及びその明るさ分布の結果（右）である
【図１１】実施例６の間接照明システム１００を説明する断面構造（左）、及びその明るさ分布の結果（右）である。
【図１２】実施例７の間接照明システム１００を説明する断面構造（左）、及びその明るさ分布の結果（右）である。
【図１３】実施例７の間接照明システム１００の実際のシステムの溝状の設置部における有機ＥＬパネル１の設置状況写真である。
【発明を実施するための形態】
【００２２】
以下、本発明の実施態様について図を参照しながら説明する。
【００２３】
（間接照明システム１００）
図１は、本発明の間接照明システムを説明する一実施形態の断面概念図である。
【００２４】
本発明の間接照明システム１００は、間接照明対象面３を間接照明するシステムであり、間接照明対象面３と開口間隔Ｇで、好ましくは平行に、対向する対向面２、及びこの対向面２に配置されてなる複数枚の、平面光源１、好ましくは、平面光源モジュール１０を含み、平面光源１の発光主面に含まれる発光領域１１が電力供給により発光することで、これと対向する間接照明対象面３を前記間接照明するシステムである。
【００２５】
本発明の間接照明システム１００は、対向面２が、間接照明対象面３に向かう対向方向に垂直な開口辺２２であって、該対向方向への平面視において間接照明対象面３に含まれる開口辺２２を有し、さらに、該開口辺２２の近傍に、該開口辺２２から該対向方向に高さＨで立ち上がり、かつ、該開口辺２２に平行な長さＸの遮光部２３を有し、平面光源１が、該開口辺２２に垂直な方向の長さがｙの発光領域１１を含む、該開口辺２２に平行な方向の長さがＬｘの平面光源であって、該平面領域から高さｈ以内で配置されてなる平面光源１であって、該遮光部２３における該対向方向の間接照明対象面３との距離である開口間隔がＧであり、さらに下記の数式１、及び数式２の全てを満たす、間接照明システムであることを一つの特徴とする。
【００２６】
【数３】
2019186006.tif 000005
【００２７】
【数４】
2019186006.tif 000006
【００２８】
本発明の間接照明システム１００は、従来の間接照明に比べて、厚みがｈより薄い平面光源１、及び遮光部２３を含むことにより向上した光源非視認性を有し、また、遮光部２３を含むにも関わらず、平面光源１を光源とすることにより向上した広範囲照明性、明るさ変化緩徐性、及び光源設置容易性を有し、さらに、長さＸの遮光部２３よりも短い、長さがＬｘの平面光源１を複数枚含むことで、安価な光源使用の安価なシステムとなり、かつ、より向上した光源設置容易性を有する。
【００２９】
ここで前述したように、発光主面は間接照明対象面３に光を放射するようにこれと対向しているので、平面光源１の発光主面の反対側の面である裏主面は、対向面２に含まれる平面領域２１に、直接的、又は間接的に接するよう載置されることとなる。
【００３０】
前記開口間隔Ｇは、本発明の効果を効果的に奏さしめる観点から、５０ｍｍ以上、５００ｍｍ以下であることが好ましく、７５ｍｍ以上、４００ｍｍ以下であることがより好ましく、１００ｍｍ以上、２００ｍｍ以下であることがさらに好ましい。
【００３１】
（間接照明対象面３）
本発明に係る間接照明対象面３は、単なる装飾部材の表面であっても良いが、構造物の表面とすることが一般的であり、好ましくは建物の内部、及び外部の表面であり、より好ましくは、建物内部の天井、壁面、及び床面であり、更に好ましくは、室内の天井、及び壁面であり、特に好ましくは、折り上げ天井に係る折り上げ面、及びカーテンボックスのカーテン面に相当する、カーテン面、壁面、及び窓であり、本発明の効果を効果的に奏さしめることができる。
【００３２】
（対向面２）
本発明に係る対向面２は、平面光源１が複数枚配置される平面領域２１を有する対向面部材２０の一主面であり、間接照明対象面３と、好ましくは平行に、対向していれば、間接照明対象面３に、直接、間接に物理的に固定されている必要は無いが、好ましくは、間接照明対象面３に固定されている。
【００３３】
本発明に係る対向面２は、前記平面領域２１、開口辺２２、及び遮光部２３を有し、開口辺２２は、間接照明対象面３への対向方向に垂直であり、かつ、該対向方向への平面視において間接照明対象面３に含まれ、平面領域２１は、開口辺２２からの該対向方向の高さが０の平面の領域であることが好ましく、遮光部２３は、開口辺２２と平面領域２１に挟持された部分である。
【００３４】
前記対向面部材２０は、金属や、樹脂、木材、竹材等の材料や、これらの材料を組み合わせて構成することができる。
【００３５】
（遮光部２３）
本発明に係る遮光部２３は、開口辺２２近傍の、開口辺２２と平面領域２１とに挟持された部分であり、かつ、開口辺２２から間接照明対象面３への対向方向に高さＨ、開口辺２２に平行な長さＸ、で立ち上がった部分である。
【００３６】
前記高さＨは、全遮光部２３における最も高い高さであっても良いが、好ましくは、前記Ｘの方向に垂直な方向の遮光部２３断面における最も高い地点を、前記Ｘの方向に繋いだ線分における少なくとも最も高い高さであり、より好ましくは、前記線分の平均値であり、さらに好ましくは、前記線分の全領域において高さＨが一定値であることであり、優れた外観で、かつ、安価に、本発明の光源非視認性効果を発揮せしめることができる。
【００３７】
本発明に係る遮光部２３は、本発明の広範囲照明性効果、及び明るさ変化緩徐性効果を、より効果的に発揮せしめる観点から好ましくは、間接照明対象面３に向かって凸な曲面を含み、美しい外観の、かつ、安価な対向面部材２０とする観点から、前述のＸの方向に垂直な方向の遮光部２３断面が、半円を含むことがより好ましい。
【００３８】
前記高さＨは、本発明の効果を効果的に奏さしめる観点から、２ｍｍ以上、２００ｍｍ以下であることが好ましく、１０ｍｍ以上、１００ｍｍ以下であることがより好ましく、２０ｍｍ以上、８０ｍｍ以下であることがさらに好ましい。
【００３９】
前記長さＸは、間接照明として快適な光空間を実現せしめる観点、及び本発明の効果を効果的に奏さしめる観点から、１００ｍｍ以上であることが好ましく、３００ｍｍ以上、１００ｍ以下であることがより好ましく、１ｍ以上、３０ｍ以下であることがさらに好ましい。
【００４０】
（平面光源１）
本発明に係る平面光源１は、平面領域２１に、好ましくは開口辺２２に平行に、より好ましくは前記長さＸの方向に沿って一列に、複数枚配置されて、本発明の間接照明システム１００を構成する部材であり、その配置の方法は、ネジ止めや接着材による固定であっても良いが、メンテナンス性を確保する観点から、係合部を平面領域２１、及び平面光源１に設けて着脱可能に係合することであり、係合部に給電経路を含ませることも好ましい実施態様であり、また、複数枚の平面光源１を１枚の台座上に係合した台座モジュールを平面領域２１に設置することも好ましい実施態様であり、さらに、ダクトレール等のレール部材を用いて、位置調整や給電が可能なように配置することも好ましい実施態様である。
【００４１】
本発明に係る平面光源１は、当該配置された状態において、開口辺２２に平行な方向の長さがＬｘ、及び開口辺２２に直角な方向の長さがＬｙ、好ましくは厚みがｈの外形の、好ましくは矩形面を備える、板状の部材である。ハンドリング性確保の観点から、Ｌｘは、４０ｍｍ以上、２ｍ以下が好ましく、８０ｍｍ以上、１ｍ以下がより好ましく、ハンドリング性確保の観点に加えて、外観に優れた快適な光空間を実現する観点から、Ｌｙは、５ｍｍ以上、１ｍ以下が好ましく、２０ｍｍ以上、５００ｍｍ以下がより好ましく、ｈは、０．２ｍｍ以上、５０ｍｍ以下が好ましく、１ｍｍ以上、２０ｍｍ以下がより好ましく、２ｍｍ以上、１０ｍｍ以下がさらに好ましい。
【００４２】
本発明に係る平面光源１は、当該配置された状態において、その発光主面に、開口辺２２に平行な方向の長さがｘ、及び開口辺２２に直角な方向の長さがｙの外形の、好ましくは矩形の、また、簡単な構成で安価な平面光源１とする観点から好ましくは一つの、発光領域１１を有する。言い換えれば、発光主面には、当該一つの発光領域１１を取り囲む額縁領域があることが好ましい。このような額縁領域の平均的な幅ｗは、高信頼性としつつ明るい平面光源１とする観点から、０．１ｍｍ以上、５０ｍｍ以下が好ましく、０．５ｍｍ以上、１０ｍｍ以下がより好ましく、１ｍｍ以上、５ｍｍ以下がさらに好ましい。
【００４３】
即ち、本発明に係る平面光源１は、好ましくは、幅に対して長さが長い長尺矩形の発光領域１１及び外形を有する長尺矩形パネルである。
【００４４】
このような平面光源１は、平面領域２１に、隣接する発光領域１１の間の、例えば前記ｗの２倍の長さを含む、距離Ｄが２００ｍｍ以下で、配置されることが、均一な間接照明とする観点から好ましい。
【００４５】
このような平面光源１は、ＬＥＤパネル１であってもよいが、本発明に係る光源非視認性、広範囲照明性、及び明るさ変化緩徐性をより向上せしめる観点や、柔らかい光、快適な光による間接照明とする観点から、好ましくは、有機ＥＬパネル１である。
【００４６】
前記長さｙ、即ち、開口辺２２に直角な方向の発光領域１１の長さは、前記開口間隔Ｇ、即ち、遮光部２３における対向方向の間接照明対象面３との距離より、大きい（長い）ことが好ましく、本発明に係る光源設置容易性を維持しつつ本発明に係る光源非視認性をより向上することができ、その場合、平面光源１は、特に薄く製造可能で、狭い空間でも設置が容易な有機ＥＬパネル１であることが好ましい。
【００４７】
（有機ＥＬパネル１）
本発明に係る有機ＥＬパネル１は、発光主面、及び裏主面を両主面とし、前記発光主面に含まれる発光領域１１から光を放射する板状の部材であり、可撓性を有していてもよい。
【００４８】
本発明に係る有機ＥＬパネル１は、発光主面から裏主面に向かって、透明基板、有機ＥＬ素子、及び封止構造からなる積層構造を含むパネルとすることが好ましく、このような所謂ボトムエミッション型パネルとすることで、外界に露出する発光主面に高い機械的強度を付与せしめることができ、より好ましくは、単一の発光デバイスとして有機ＥＬ素子を唯一つ含むパネルとすることであり、内部配線不要となる為、発光主面における発光領域１１の面積比率である面積効率が高く、かつ、安価なパネルとなる。
【００４９】
このような有機ＥＬパネル１について詳述すると以下の通りである。
【００５０】
まず、前述した「有機ＥＬ素子を唯一つ含むパネル」とは、具体的にはパネル外部から直接給電される等電位電極層が、いずれも後述の、対向する透光性陽極層、及び反射性陰極層の１組のみである素子のみを含むパネルである。
【００５１】
前記透明基板としては、簡便に高信頼性のボトムエミッション型の有機ＥＬパネル１を構成する観点から、透光性及び絶縁性を有するガラスや樹脂を材料とする基板とすることが好ましく、その中でも有機ＥＬパネルへの水分浸入を防止することで高信頼性パネルとする観点からガラス基板がより好ましく、薄さ軽さを担保しつつ割れや欠けの発生が少ないパネルとする観点から、その厚みは、平均で０．１ｍｍ以上、１０ｍｍ以下とすることが好ましく、０．２ｍｍ以上、５ｍｍ以下とすることがより好ましい。また、前記可撓性としては、パネルとしても基板としても、１５０ｍｍＲ以下、好ましくは７５ｍｍＲ以下程度とすることができる。
【００５２】
前記有機ＥＬ素子は、透光性導電膜、有機化合物含有の発光層を含み、かつ、複数の薄膜が積層された有機機能膜、及び反射性導電膜を順次製膜し、これらの膜の重畳部分として形成され、重畳部分に含まれる前述した３つの膜が、各々、透光性陽極層、有機機能層、反射性陰極層であり、好ましくは、前記透明基板側に透光性陽極層が形成されたものである。このような有機ＥＬ素子は、透光性陽極層、及び反射性陰極層に印加される電圧に応じて、これらの重畳部分に挟持された有機機能層に電流が流れることで発光する。
【００５３】
前記透光性導電膜の材料としては、透明導電性酸化物が好ましく採用され、その中でも、インジウム錫酸化物（ＩＴＯ）、インジウム亜鉛酸化物（ＩＺＯ）、酸化錫（ＳｎＯ２）、酸化亜鉛（ＺｎＯ）が好ましく、光を効果的に取り出せる高透明性のＩＴＯあるいはＩＺＯがより好ましい。また、このような透明導電性酸化物の膜の上に、１ｍｍ程度の間隔で縦横に数１０μｍ幅の金属細線を有する金属細線付膜、その金属細線を上若しくは下、又は上下に腐食対策金属層を有するバッファ層金属細線付膜、例えばＭｏ合金／Ａｌ合金／Ｍｏ合金の３層金属細線（ＭＡＭ細線）、さらにこのような金属細線の上にこれより太い幅の絶縁膜（例えばポリイミド）を含む絶縁膜金属細線付膜を、前記透光性導電膜とすることも大面積発光領域１１の有機ＥＬモジュール１０であっても輝度ムラ無く発光せしめる観点から好ましい。
このような発光領域１１においては、例えば、このようなＭＡＭ／ＰＩ構造が存在しない、透明導電性酸化物の膜開口部位に形成された有機機能層の両電極挟持部分が発光することとなる
このような有機ＥＬパネル１は、外部からの水分の侵入を防ぐために、封止膜により封止がなされることが好ましく、より好ましくは、平面視、有機ＥＬパネル１形成領域の全領域を含む発光領域１１全面を含む領域に封止膜を備えることである。
【００５４】
また、膜封止の場合、機械的な外力によるキズを防ぐために、ＰＥＴなどからなる保護フィルム、より好ましくは均熱シートを粘着材で貼り付けることが好ましく、温度ムラの発生による輝度ムラやダークスポット、突然の発光停止等の発生を防止することができる。
【００５５】
このような本発明に係る有機ＥＬパネル１には、輝度や色、角度依存の光学特性や配光性の向上ために、発光主面の発光領域１１を含む領域の最表面、即ち、例えば前記ガラス基板の光射出側に、光学機能体を備えることが好ましい。
【００５６】
この光学機能体としては、レンズやプリズムを含む、例えば、レンズシート、プリズムシート、又はレンチキュラーレンズシート等を例示することができ、ガラス表面にアクリル等からなる樹脂を塗ってナノインプリントしたものやガラスビーズを含んだ樹脂をスプレーコートやスリットコートしたものとすることもできる。好ましくは、一表面に凹凸構造をもち、他表面に粘着材が付いた樹脂フィルム（光学フィルム）を、その一表面が前記最表面となるようにガラス表面に貼ることであり、の光学フィルムに、光散乱性を付与することもできる。さらに、この光学フィルムの貼り付けは、フィルム表面にキズが付き易いため、場合に応じて、間接照明システム１００の組み立て後でもよいし、前でもよく、後述する本発明に係る有機ＥＬモジュール１０の平面領域２１への取り付け後でもよい。
【００５７】
（平面光源モジュール１０）
本発明に係る平面光源モジュール１０は、平面光源１、好ましくは有機ＥＬパネル１、及び、遮光部２３の一部である、平面光源対応遮光部１３、好ましくは有機ＥＬパネル対応遮光部１３を含む。このような遮光部１３を、少なくとも部分的に、含む平面光源モジュール１０を用いることで、本発明に係る平面光源１は、対向面２に容易かつ簡便に配置でき、また、安価な間接照明システム１００となる。
【実施例】
【００５８】
以下、実施例により本発明を具体的に説明する。なお本発明は、以下の実施例に限定されるものではなく、その要旨を変更しない範囲で適宜変更して実施することができる。
【００５９】
（有機ＥＬパネル１の作製例）
有機ＥＬパネル１を以下の方法で作製した。
【００６０】
まず、透光性導電膜としてＩＴＯが製膜された０．７ｍｍ厚みのガラス基板を用意し、ＩＴＯ上に有機機能膜として、順に正孔注入層１、正孔輸送層１、発光層１、及び電子輸送層１を積層することで青蛍光発光ユニットを形成した後、順に電子注入層１、電子輸送性中間層、及び正孔注入層２を積層することで接続層を形成し、さらにその後、順に正孔輸送層２、発光層２、電子輸送層２、及び電子注入層２を積層することで緑赤燐光発光ユニットを形成し、さらにその後、アルミニウムからなる反射性導電膜を積層して、高演色性の白色発光有機ＥＬ素子を形成した。
【００６１】
その後、ＣＶＤ法でシリコン窒化膜を製膜し、さらに、ポリシラザンをスプレー法にて塗布し焼成して無機封止膜を形成し、粘着材付きＰＥＴからなる保護フィルムを貼り付け、有機ＥＬタイルを作製した。この有機ＥＬタイルの外形は９０ｍｍ×９０ｍｍ×１．１ｍｍｔで、発光領域は８０ｍｍ×８０ｍｍである。
【００６２】
次に、有機ＥＬタイルの保護フィルム上に８２ｍｍ×８２ｍｍの大きさで厚み５０μｍの両面テープを貼り、ガラス基板の給電部分にＡＣＦを貼り、両面テープの剥離紙を剥して厚み１８０μｍのＦＰＣを有機ＥＬタイルに固定後、ＡＣＦ接続部分を熱圧着し、ＦＰＣ給電配線を形成し、外周にフレーム部材（固定部材）を取り付けることで、Ｌｘ×Ｌｙが９４ｍｍ×９４ｍｍで厚みが１．１ｍｍｔの正方形の配線された有機ＥＬパネル１を作製した。
【００６３】
（間接照明システムの構成）
このようにして作製した有機ＥＬパネル１（９３ルーメン／枚）、及び、点光源のＬＥＤ素子を複数直線状に並べた４０ｍｍ×１５００ｍｍ×４０ｍｍｔの間接照明用直線ＬＥＤ光源モジュール（１０００ルーメン／個）を用いて、以下の各実施例、及び各比較例の間接照明システムを構成した。
【００６４】
ここで、間接照明システムの構成における配置の基本方針としては、光源が外側下から見えないように目隠し構造として対向面２を５６５０ｍｍの幅に亘って、光を導出するための開口として開口間隔Ｇを確保しつつ、壁から１００ｍｍ、又は１８０ｍｍの位置に設け、間接照明対象面３と対向面２との間に溝状の設置部を設け、そこに光源を配置することとした。光源の総光量は約３０００ルーメン、又は４０００ルーメン程度とした。即ち、平面光源１として、有機ＥＬパネル１を用いる場合は３０枚のパネルを一列に配置し、総光量を２７９０ルーメンとし、前記間接照明用直線ＬＥＤ光源モジュールを用いる場合は３個のモジュールを直線状に配置し、総光量を３０００ルーメンとした。
【００６５】
（実施例１）
図２中に示す断面構造の実施例１の間接照明システムを構成した結果、図２中に示す明るさ分布となった。なお、実施例１の間接照明システムにおいて、Ｈは４０ｍｍ、Ｇは１４０ｍｍ、ｈは８ｍｍであり、明るさ分布は、断面構造における太矢印の方向に観察した場合のパントリーを含む周囲の明るさであり、明るさ分布において最も明るい横線分部分が、前記太矢印が間接照明対象面３と交差する部分である。
【００６６】
なお、実施例１において、有機ＥＬパネル１は、平面領域２１に、開口辺２２に平行に、長さＸの方向に沿って一列に、３０枚配置されている。
【００６７】
具体的には、前記固定部材は、パネル本体の裏主面側に配され、当該裏主面側に向かって隆起する隆起部であって、当該隆起方向に直交する方向に突出したパネル側係合部を複数備える隆起部を含み、当該複数のパネル側係合部のうち２つのパネル側係合部は、互いに離反する方向に張り出している。一方で、平面領域２１に、取付側本体部と、複数の取付側係合部を有する取付部材を固定する。当該複数の取付側係合部のうち２つの取付側係合部は、取付側本体部から互いに近接する方向に延びている。有機ＥＬパネル１をスライド移動させて、前記２つのパネル側係合部と前記２つの取付側係合部を係合させることにより、有機ＥＬパネル１を取付部材に取り付けることで、固定部材を介し、平面領域２１に配置した。
【００６８】
実施例１では、開口部から下側への光の広がりが大きく、明暗の境界はぼんやりした柔らかいものとなった。下側の床面および左右の壁面の照度は、後述する比較例２、及び３の間接照明用直線ＬＥＤ光源モジュールを用いたシステムに比べ高くなった。器具が薄いため開口を広くすることができ、その結果、光量がＬＥＤ光源モジュールを用いたシステムより小さくても全体の照度は高くなる結果となった。
【００６９】
（比較例１）
図３中に示す断面構造の比較例１の間接照明システムを構成した結果、図３中に示す明るさ分布となった。なお、比較例１の間接照明システムにおいては、間接照明用直線ＬＥＤ光源モジュール（ｙは４０ｍｍ、ｘは１４５０ｍｍ）を３モジュール使用し、Ｈは、ＬＥＤ光源モジュールが大きくて隠れない為実施例１より大きな５５ｍｍとし、Ｇは１２５ｍｍ、ｈは４０ｍｍである。
【００７０】
なお、実施例１と同様に、ＬＥＤ光源モジュールは、平面領域２１に、開口辺２２に平行に、長さＸの方向に沿って一列に、３モジュール枚配置されており、図３の断面構造の極太矢印で示す横方向が主な光の放射方向である。
【００７１】
比較例１では、開口部近傍が局所的に明るくなる、ハッキリした明暗の境界が現れた。器具の厚みがあるため、目隠しを大きくし、開口を狭くする必要があった為、光の利用効率が低く、全体の照度は実施例１より低くなった。
【００７２】
実施例１と比較例１とを比較すると、有機ＥＬパネル１を用いることで、ＬＥＤ光源モジュールに比べ、通常は隠されている光源設置部以外も含めた空間全体に光を回り込ませることができるため、床面や壁面を効果的に明るくすることができることが判る。また、開口部近傍の分布は、開口幅や目隠し部材の形状による配光制御により実施可能と予想でき、以下の実施例で試みることとした。
【００７３】
（比較例２）
図４中に示す断面構造の比較例２の間接照明システムを構成した結果、図４中に示す明るさ分布となった。なお、比較例２の間接照明システムは、図４の断面構造の極太矢印で示す縦方向を主な光の放射方向としたこと以外、比較例１と同様である。
【００７４】
比較例２では、比較例１と比べて、照明器具の配置に起因する光分布の継ぎ目が目立たなくなるが、より開口部近傍だけが明るい状態となり、全体の照度が低くなった。また、左右壁面奥側への光の回り込みがなかった。
【００７５】
（比較例３）
図５中に示す断面構造の比較例３の間接照明システムを構成した結果、図５中に示す明るさ分布となった。なお、比較例２の間接照明システムは、実施例１と比べると、有機ＥＬパネル１を、対向面２上ではなく、間接照明対象面３上に配置した点（逆Ｈ）、及び、遮光部２３の断面を矩形ではなく、三角形とした点で異なっており、他の点では実施例１と同様であり、逆Ｈは６３ｍｍ、溝状の設置部の深さは１８０ｍｍ、Ｇは３７ｍｍである。
【００７６】
比較例３では、目隠しのために開口が狭くなり、照明設置位置近傍以外は暗く、明るさの分布は平坦なものの、照度確保のために開口を大きくすると壁面に直線状の明暗の境界が明瞭に現れる結果となった。
【００７７】
（実施例２）
図６中に示す断面構造の実施例２の間接照明システムを構成した結果、図６中に示す明るさ分布となった。実際のシステムの溝状の設置部における有機ＥＬパネル１の設置状況写真を図７に示す。
【００７８】
なお、実施例２の間接照明システムは、実施例１と比べると、遮光部２３の断面を矩形ではなく、１／４円筒とした点で異なっており、他の点では実施例１と同様であり、Ｈは４０ｍｍ、Ｇは１４０ｍｍ、１／４円筒の半径は４０ｍｍである。
【００７９】
実施例２では、実施例１と比べて、開口部出口の明るい領域が下方向に広がり、床面および壁面が明るくなり、視界内のピーク輝度も抑制され、左右壁面は奥側にも光が回り込む。目隠しを円柱形状とすることで開口部近傍の照度変化が緩やかになり明暗の境界が柔らかく実施例２では、実施例１と比べて、なり、正面奥のパントリー壁面の照度も高くなることが判り、良好な結果が得られた。
【００８０】
円柱形状目隠しを使用する場合、平板による目隠しと比較すると、左右壁面の照度変化がなだらかになり、より下方まで明るくなる。部材コスト高となるが、壁面のピーク照度を抑制しつつ滑らかな照度変化を表現するためには有効な手段と考えられる。
【００８１】
（実施例３）
図８は、実施例１〜３の断面構造と、これらの建物としての明るさ分布とを比較したものである。上段が実施例１、中段が実施例２、下段が実施例３であり、即ち、図８の建築物としての各明るさ分布の中央部分を拡大したものが、図２、及び図６の室内の明るさ分布である。
【００８２】
図８下段の実施例３の間接照明システムは、実施例１と比べると、遮光部２３の断面を矩形ではなく、１／２円筒とした点で異なっており、他の点では実施例１と同様であり、Ｈは３０ｍｍ、Ｇは１５０ｍｍ、１／２円筒の半径は３０ｍｍである。
【００８３】
実施例３では、１／２円筒面を用いることにより、光源や対向する壁面からの光を広い範囲に広げて反射するために、広い範囲を明るく、また滑らかな照度変化で照射することが可能となっており、滑らかな照度変化を表現するためには有効な手段と考えられる。即ち、目隠しを円柱形状とすることで開口部近傍の照度変化が緩やかになり明暗の境界が柔らかくなり、正面奥のパントリー壁面の照度も高くなる。
【００８４】
（実施例４）
図９中に示す断面構造の実施例４の間接照明システムを構成した結果、図９中に示す明るさ分布となった。
【００８５】
なお、実施例４の間接照明システムは、実施例１と比べると、遮光部２３の高さＨが５５ｍｍと、高くなっている点で異なっており、他の点では実施例１と同様であり、Ｈは５５ｍｍ、Ｇは１２５ｍｍである。
【００８６】
実施例４では、開口部が局所的に明るくなり、正面奥のパントリー壁面の照度は実施例２より暗くなり、左右壁面は奥側にも光が回り込むが、陰影のなだらかさが実施例１より劣り、全体的に実施例１より暗くなる結果となった。
【００８７】
（実施例５）
図１０中に示す断面構造の実施例５の間接照明システムを構成した結果、図１０中に示す明るさ分布となった。
【００８８】
なお、実施例５の間接照明システムは、実施例２と比べると、対向面２の遮光部２３とは有機ＥＬパネル１を挟んで反対の部分である上側に、遮光部２３の１／４円筒と対称の遮光部２３と同様な円筒の一部分が、反射部として存在する点で異なっており、他の点では実施例２と同様であり、Ｈは４０ｍｍ、Ｇは１４０ｍｍ、１／４円筒の半径は４０ｍｍ、上側一部円筒の半径は１００ｍｍである。
【００８９】
実施例５では、実施例２と比べて、上部に光の拡散用に反射部があるので、上側一部円筒部材の表面光拡散率にもよるが必ずしも全体の輝度は明るくならず、多重反射に起因してか違和感のある陰影が生じ、実施例２と比べて印象的に劣っていた。即ち、上側一部円柱により照度分布は平坦になるが床面照度や壁面照度は暗くなった。左右壁面は奥側にも光が回り込んだ。
【００９０】
（実施例６）
図１１中に示す断面構造の実施例６の間接照明システムを構成した結果、図１１中に示す明るさ分布となった。
【００９１】
なお、実施例６の間接照明システムは、実施例５と比べると、遮光部２３の高さＨが５５ｍｍと、高くなっている点で異なっており、他の点では実施例５と同様であり、即ち、対向面２の遮光部２３とは有機ＥＬパネル１を挟んで反対の部分である上側に、実施例５同様に円筒の一部分が、反射部として存在し、Ｈは５５ｍｍ、Ｇは１２５ｍｍ、上側一部円筒の半径は１００ｍｍである。
【００９２】
実施例６では、開口部が局所的に明るくなり、床面の照度は実施例７より暗くなり、左右壁面は奥側にも光が回り込む結果となった。
【００９３】
（実施例７）
図１２中に示す断面構造の実施例７の間接照明システムを構成した結果、図１２中に示す明るさ分布となった。実際のシステムの溝状の設置部における有機ＥＬパネル１の設置状況写真を図１３に示す。
【００９４】
なお、実施例７の間接照明システムは、実施例４と比べると、パネル上側を鉛直から１５度内側に倒し点、及び遮光部２３を遮蔽板とし、かつ、その先端を水平から３０度上側に持ち上げた構造とした点で異なっており、他の点では実施例４とほぼ同様であり、Ｈは６０ｍｍ、Ｇは１２０ｍｍである。
【００９５】
実施例７では、有機ＥＬパネル１を斜めに配置することに対応し、これを隠蔽するために有効な開口が狭くする必要があるため、それでも開口を大きくできるよう遮光板も斜めに設置したが、部屋の照度は低くなり、遮光板の斜め設置により反射による光も外に出てこないため、開口部が局所的に明るくなり、正面奥のパントリー壁面は奥側にも光が回り込み暗いながらも広く照らされる結果となったが、基本的に開口部以外の部分への光の回りこみがあまり期待できないことが判った。このような実施例７の構造は、光の回り込み範囲の制限に利用できるものの、光の利用効率が大きく低下する開口を小さくする必要が生じることとなるので、特殊な場合を除きあまり推奨できないと考えられる。しかし、美しい快適な間接照明の実現の観点からは採用できる場合もあると考えられる。
【００９６】
壁面も暗いながらも広く照らされ、壁面は奥側にも光が回り込む結果となった。
【００９７】
以上の実施例、及び比較例の結果から、有機ＥＬパネル１による間接照明の妥当性について間接照明用直線ＬＥＤ光源モジュールと比較すると、通常は隠されている光源設置部以外も含めた空間全体に光を回り込ませることができるため、床面や壁面を効果的に明るくすることができ、また、開口部近傍の分布は、開口幅や目隠し部材の形状による配光制御を使うことができることが判り、平面光源の優位性、特に、有機ＥＬパネルの優位性が確認できた。
【符号の説明】
【００９８】
１００    間接照明システム
１０      平面光源モジュール（ＬＥＤモジュール、有機ＥＬモジュール）
１        平面光源（ＬＥＤパネル、有機ＥＬパネル）
１１      矩形発光領域
１３      平面光源対応遮光部
２        対向面
２０      対向面部材
２１      平面領域
２２      開口辺
２３      遮光部
３        間接照明対象面
【図１】
2019186006.tif 000009
【図２】
2019186006.tif 000010
【図３】
2019186006.tif 000011
【図４】
2019186006.tif 000012
【図５】
2019186006.tif 000013
【図６】
2019186006.tif 000014
【図７】
2019186006.tif 000015
【図８】
2019186006.tif 000016
【図９】
2019186006.tif 000017
【図１０】
2019186006.tif 000018
【図１１】
2019186006.tif 000019
【図１２】
2019186006.tif 000020
【図１３】
2019186006.tif 000021